Podtech/llm-jp-corpus-v4-ja_patent huggingface dataset:
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
地理空間モデルデータ記憶装置；及び
前記地理空間モデルデータ記憶装置と協働して、地理空間領域の３次元地理空間データセットの空所内に、継ぎ目が平滑化された３次元の空所充填データを修復するプロセッサ；
を有し、
前記プロセッサは、前記３次元地理空間データセットから空所充填データを選択し、且つ前記空所の領域と前記地理空間領域の隣接部分との間の対応する界面に沿ったデータに基づく境界条件を用いて、該空所充填データにポアソン方程式を適用することによって、前記継ぎ目が平滑化された空所充填データを生成する、
地理空間モデル化システム。
【請求項２】
前記プロセッサは前記空所充填データにポアソン方程式を反復的に適用する、請求項１に記載の地理空間モデル化システム。
【請求項３】
前記プロセッサは、前記空所の全体を一度で埋めるように、前記継ぎ目が平滑化された空所充填データを修復する、請求項１に記載の地理空間モデル化システム。
【請求項４】
前記地理空間データセットは数値標高モデル（ＤＥＭ）データセットを有する、請求項１に記載の地理空間モデル化システム。
【請求項５】
前記地理空間データセットはライダー（ＬＩＤＡＲ）データセットを有する、請求項１に記載の地理空間モデル化システム。
【請求項６】
地理空間領域の３次元地理空間データセットを与えるステップであり、該３次元地理空間データセットは空所を有する、与えるステップ；
前記３次元地理空間データセットから空所充填データを選択するステップ；
前記３次元地理空間データセットの前記空所内に、前記空所充填データを修復するステップ；及び
前記空所の領域と前記地理空間領域の隣接部分との間の対応する界面に沿ったデータに基づく境界条件を用いて、前記空所充填データにポアソン方程式を適用することによって、前記空所充填データの継ぎ目を平滑化するステップ；
を有する地理空間モデル化方法。
【請求項７】
前記平滑化するステップは前記空所充填データにポアソン方程式を反復的に適用することを有する、請求項６に記載の方法。
【請求項８】
前記修復するステップは、前記空所の全体を一度で埋めるように、前記空所充填データを修復する、請求項６に記載の方法。
【請求項９】
前記地理空間データセットは数値標高モデル（ＤＥＭ）データセットを有する、請求項６に記載の方法。
【請求項１０】
前記地理空間データセットはライダー（ＬＩＤＡＲ）データセットを有する、請求項６に記載の方法。
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
被験体のスマトリプタンが関わる状態を治療するための、スマトリプタンを含むイオントフォレシスパッチであって、治療期間の少なくとも一部分に3.5mA以上の電流を用いることによって、該スマトリプタンのある量が該被験体にイオントフォレシスで投与され、該被験体のスマトリプタンが関わる状態を治療することを特徴とする、上記イオントフォレシスパッチ。
【請求項２】
前記電流が4.0mA以上である、請求項１に記載のイオントフォレシスパッチ。
【請求項３】
前記治療期間の前記部分が30分間〜90分間である、請求項１または２に記載のイオントフォレシスパッチ。
【請求項４】
前記治療期間の前記部分が1.5〜2.5mAの低電流を用いる低電流治療期間をさらに含むものである、請求項１〜３のいずれか１項に記載のイオントフォレシスパッチ。
【請求項５】
前記低電流が2.0mAの電流を用いる、請求項４に記載のイオントフォレシスパッチ。
【請求項６】
前記低電流治療期間が2時間〜4時間の長さである、請求項４または５に記載のイオントフォレシスパッチ。
【請求項７】
被験体のスマトリプタンが関わる状態を治療するための、スマトリプタンを含むイオントフォレシスパッチであって、1時間の高電流治療期間に対して4mAの電流および次いで低電流治療期間に対して2mAの電流を用いることによって、該スマトリプタンのある量が該被験体にイオントフォレシスで投与され該被験体のスマトリプタンが関わる状態を治療することを特徴とする、上記イオントフォレシスパッチ。
【請求項８】
前記スマトリプタンの量が95%信頼区間で99〜128hr*ng/mLのAUC0-infおよび95%信頼区間で20〜28ng/mLのCmaxをもたらす；
前記スマトリプタンの量が95%信頼区間で99〜128hr*ng/mLのAUC0-infをもたらす；
前記スマトリプタンの量が99〜128hr*ng/mLのAUC0-infをもたらす；
前記スマトリプタンの量が95%信頼区間で20〜28ng/mLのCmaxをもたらす；
前記スマトリプタンを投与して23〜25ng/mLのCmaxを達成しかつ血漿濃度を少なくとも3時間維持する；または
前記スマトリプタンの量が99〜128hr*ng/mLのAUC0-infおよび20〜28ng/mLのCmaxをもたらす、請求項１〜７のいずれか１項に記載のイオントフォレシスパッチ。
【請求項９】
少なくとも0.10mA/cm2以上の電流密度が前記治療期間の少なくとも一部分に用いられる、請求項１〜８のいずれか１項に記載のイオントフォレシスパッチ。
【請求項１０】
前記治療が高電流密度期間と低電流密度期間を含み、ここで前記高電流密度期間が0.10mA/cm2〜0.30mA/cm2の電流密度を有しかつ前記低電流密度期間が0.05mA/cm2〜0.15mA/cm2の電流密度を有する、請求項１〜９のいずれか１項に記載のイオントフォレシスパッチ。
【請求項１１】
前記治療が高電流密度期間と低電流密度期間を含み、ここで前記高電流密度期間が0.13mA/cm2〜0.4mA/cm2の電流密度を有しかつ前記低電流密度期間が0.067mA/cm2〜0.2mA/cm2の電流密度を有する、請求項１〜１０のいずれか１項に記載のイオントフォレシスパッチ。
【請求項１２】
前記スマトリプタンの有効量が実質的に有害な影響なく投与される、請求項１〜１１のいずれか１項に記載のイオントフォレシスパッチ。
【請求項１３】
前記有害な影響が疼痛、圧力感覚または非定形的感覚を含む、請求項１２に記載のイオントフォレシスパッチ。
【請求項１４】
前記スマトリプタンの投与により、25%未満の変動係数（CV）のAUC0-inf、t1/2またはCmaxをもたらす、請求項１〜１３のいずれか１項に記載のイオントフォレシスパッチ。
【請求項１５】
前記スマトリプタンの有効量が実質的に前記被験体の皮膚を刺激することなく投与される、請求項１〜１４のいずれか１項に記載のイオントフォレシスパッチ。
【請求項１６】
スマトリプタンの前記イオントフォレシス投与が紅斑を少ししかまたは全く生じないか、あるいは傷害を少ししかまたは全く生じない、請求項１５に記載のイオントフォレシスパッチ。
【請求項１７】
スマトリプタンの前記イオントフォレシス投与が傷害を少ししかまたは全く生じない、請求項１５に記載のイオントフォレシスパッチ。
【請求項１８】
前記スマトリプタンが関わる状態が片頭痛である、請求項１〜１７のいずれか１項に記載のイオントフォレシスパッチ。
【誤訳訂正書】
【提出日】平成23年4月26日(2011.4.26)
【誤訳訂正１】
【訂正対象書類名】特許請求の範囲
【訂正対象項目名】全文
【訂正方法】変更
【訂正の内容】
【特許請求の範囲】
【請求項１】
移植可能な補綴を形成する方法であって、
潤滑材およびＰＴＦＥからなる押出物を押出し成形して、内面と外面を備えた壁を有する管状部材を形成する工程を含み、厚さが、前記内面と前記外面との間に定められており、前記厚さは、押出しに使用される押出しダイの出口のところで250μｍか、それ未満の範囲にあり、
前記内面は、単一の一定の直径を有する平滑な内面を有しており、
圧縮空気が、押出し成形中に前記管状部材の管腔の中に注入され、前記管状部材の支持を提供し、
さらに、ステントを、前記管状部材に対して同心配置する工程を含む、
ことを特徴とする方法。
【請求項２】
押出し成形時には、前記管状部材は中空であることを特徴とする、請求項１に記載の方法。
【請求項３】
前記管状部材を少なくとも部分的に伸張させる工程を更に含むことを特徴とする、請求項１に記載の方法。
【請求項４】
前記ステントは、前記内面と切れ目無く接触して配置されることを特徴とする、請求項１に記載の方法。
【請求項５】
前記ステントは、前記外面と切れ目無く接触して配置されることを特徴とする、請求項１に記載の方法。
【請求項６】
前記ステントは、前記伸張状態の管状部材の中に少なくとも部分的に陥没していることを特徴とする、請求項３に記載の方法。
【請求項７】
フルオロ重合体を押出し成形することで、第２の内面と第２の外面を有している第２の壁を備えている第２の管状部材を形成する工程を更に含み、第２の厚さが、前記第２の内面と前記第２の外面との間に定められており、前記第２の厚さは、250μmか、それ未満の範囲にあり、
さらに、第２の管状部材を少なくとも部分的に伸張させる工程と、
前記伸張状態の管状部材に対して第２の伸張状態の管状部材を同心配置する工程と、
を含むことを特徴とする、請求項３に記載の方法。
【請求項８】
前記フルオロ重合体はポリテトラフルオロエチレン（PTFE）であることを特徴とする、請求項７に記載の方法。
【請求項９】
前記ステントは、前記伸張状態の管状部材と前記第２の伸張状態の管状部材との間に配置されることを特徴とする、請求項７に記載の方法。
【請求項１０】
前記膨張部材には多数の間隙が設けられており、前記伸張状態の管状部材は前記第２の伸張状態の管状部材に対して多数の間隙を介して接着されることを特徴とする、請求項９に記載の方法。
【請求項１１】
前記ステントは、前記伸張状態の管状部材と前記第２の伸張状態の管状部材との間に接着せずに配置されることを特徴とする、請求項１０に記載の方法。
【請求項１２】
前記管状部材は、500％から6000％の間の長さに伸張されることを特徴とする、請求項３に記載の方法。
【請求項１３】
前記第２の管状部材は、500％から6000％の間の長さに伸張されることを特徴とする、請求項７に記載の方法。
【請求項１４】
前記厚さは、200μmか、それ未満の範囲にあることを特徴とする、請求項１に記載の方法。
【請求項１５】
前記厚さは、125μmか、それ未満の範囲にあることを特徴とする、請求項１４に記載の方法。
【請求項１６】
押出し成形中に前記管状部材に引張りが加えられることを特徴とする、請求項１に記載の方法。
【誤訳訂正２】
【訂正対象書類名】明細書
【訂正対象項目名】発明の名称
【訂正方法】変更
【訂正の内容】
【発明の名称】補綴を形成する方法
【誤訳訂正３】
【訂正対象書類名】明細書
【訂正対象項目名】０００８
【訂正方法】変更
【訂正の内容】
【０００８】
好ましい実施形態では、未焼結のフルオロ重合体の管は押出し成形され、よって、継ぎ目が無い。従って、継ぎ目の無い、発泡フルオロ重合体（すなわちePTEF）の管が未焼結管から形成され、補綴部材のなかでもとりわけ、移植片のような血管内補綴部材を形成するのに特に好適である。更に、補綴部材はかかる管の同心多層体から構成され、ステントと組み合わせて使用されるステント兼用移植片を形成するが、すなわち、バルーンによって拡張させることができるステント、または、自己拡張型ステントのような膨張性部材が移植片に取付けられ、或いは、移植片と一体にされて、生体構造部の支持体の役割を果たすようにしている。不活性で生体適合性のある多孔質の特性があるという理由で、フルオロ重合体はPTFEであるのが好ましい。
【誤訳訂正４】
【訂正対象書類名】明細書
【訂正対象項目名】００２１
【訂正方法】変更
【訂正の内容】
【００２１】
ここまで特定のステント構造を例示して、本発明に言及しながら説明してきたが、本件で予想されている用途の膨張性部材５６として、多様なステント類型やステント構造を採用することができる。多様な有用な膨張性部材５６の中に、自己拡張型のステントや、バルーンによって拡張させることができるステントが含まれるが、これらに限定されない。ステントは放射方向に収縮することも同様にできるようにしてもよい。自己拡張型ステントには、ステントを放射方向に拡張させるスプリングのような動作を有しているものや、ステント材の記憶特性のせいで、或る温度で特定の形状を取るように拡張するステントが含まれる。勿論、上記以外の材料も考えられるが、具体的なステント材料には、ステンレス鋼、プラチナ、金、チタニウム、タンタル、ニオビウム、これら以外の生体適合性材料、それに加えて、重合体がある。
【誤訳訂正書】
【提出日】平成23年2月10日(2011.2.10)
【誤訳訂正１】
【訂正対象書類名】明細書
【訂正対象項目名】０００５
【訂正方法】変更
【訂正の内容】
【０００５】
第１のデバイスが制御可能な動作特性には、電子データカードの、電力供給（例えば、電源の入切、電圧など）、再設定、クロック速度、ボーレート、クロックの停止など、がある。これらの動作特性は、電子データカードの動作および機能に関係があり、また、電子データカードに関連するカード読取装置の動作特性でもあると考えられる。本発明は、データカードから読み取られる情報の内容というよりも、むしろ、データカードがどのように機能するかに関している。
【誤訳訂正書】
【提出日】平成23年11月4日(2011.11.4)
【誤訳訂正１】
【訂正対象書類名】明細書
【訂正対象項目名】特許請求の範囲
【訂正方法】変更
【訂正の内容】
【特許請求の範囲】
【請求項１】  
基板、絶縁層および活性層を有した多層構造からなるホール効果センサであって、
前記基板が、単結晶のシリコンカーバイトから作られ、
前記絶縁層が、前記基板上に形成されてｐ−ドープされた単結晶シリコンカーバイトから構成され、前記活性層を前記基板から電気的に絶縁し、
前記活性層が、前記絶縁層上に形成されて５×１０１５／cm3未満の不純物濃度でｎ−ドープされた単結晶シリコンカーバイトから構成されることを特徴とするホール効果センサ。
【請求項２】
前記活性層は、熱酸化物及びパッシベーション絶縁体によって被覆されることを特徴とする請求項１に記載のホール効果センサ。
【請求項３】
前記活性層は、六方晶の炭化ケイ素からなることを特徴とする請求項１または２に記載のホール効果センサ。
【請求項４】
前記絶縁層は、六方晶の炭化ケイ素からなることを特徴とする請求項１から３のいずれかに記載のホール効果センサ。
【請求項５】
前記基板は、六方晶の炭化ケイ素からなることを特徴とする請求項１から４のいずれかに記載のホール効果センサ。
【請求項６】
前記活性層は、立方晶の炭化ケイ素からなることを特徴とする請求項１または２に記載のホール効果センサ。
【請求項７】
前記基板、前記絶縁層、及び前記活性層を形成する半導体は同一の物質であることを特徴とする請求項１から６のいずれかに記載のホール効果センサ。
【請求項８】
前記ホール効果センサが長尺形状に形成され、長手方向の端部にそれぞれ給電用の電極を備え、長手方向の中間部に互いに対向して幅方向外側に延びる２対の側方アームを備え、前記側方アームの先端に、ホール信号を取得し、隣接するアーム間の抵抗を測定するための電極を備えることを特徴とする請求項１から７のいずれかに記載のホール効果センサ。
【誤訳訂正２】
【訂正対象書類名】明細書
【訂正対象項目名】０００８
【訂正方法】変更
【訂正の内容】
【０００８】
本発明の目的は、２００℃を超える動作温度に関して一般的に２５０ｐｐｍ／℃未満の低い感温性を有し、かつ約数百ボルト／アンペア／テスラの高いホール係数ＫＨを有するホール効果センサを提供することである。ＫＨは、表面キャリア密度及び電子の電荷に反比例する。
【誤訳訂正３】
【訂正対象書類名】明細書
【訂正対象項目名】００１０
【訂正方法】変更
【訂正の内容】
【００１０】
好ましくは、活性層は、絶縁体（例えば酸化又は窒化ケイ素）及びパッシベーション絶縁体によって被覆される。活性層のドーピング比率は、使用に対応するあらゆる温度範囲において、センサが出払い領域（ドーパントの全電離）で機能するように選択される。
【誤訳訂正４】
【訂正対象書類名】明細書
【訂正対象項目名】００１１
【訂正方法】変更
【訂正の内容】
【００１１】
第１の実施態様によれば、活性層及び／又は絶縁層及び／又は基板は、六方晶の炭化ケイ素層によって構成される。好適には、活性層ｎ−のドーピング比率は、１ｃｍ３につき５×１０１５未満である。
【誤訳訂正５】
【訂正対象書類名】明細書
【訂正対象項目名】００１２
【訂正方法】変更
【訂正の内容】
【００１２】
応用例によれば、活性層は、立方晶の炭化ケイ素層である。応用例によれば、活性層は、ＧａＮ及び／又はその合金を主成分とする窒化物層である。
【誤訳訂正６】
【訂正対象書類名】明細書
【訂正対象項目名】００１４
【訂正方法】変更
【訂正の内容】
【００１４】
出払い領域に対応する温度範囲は、この場合において、低温（２００℃未満）に向かって移動し、かつ高温（＞２００℃）に向かって制限される。感温性は、前の場合よりも高くても良く、かつ出払い領域及び使用に対応する温度範囲全体に対し、一定でなくても良い。
【誤訳訂正７】
【訂正対象書類名】明細書
【訂正対象項目名】００１５
【訂正方法】変更
【訂正の内容】
【００１５】
好ましくは、基板及び活性層を形成する材料は同一の物質で、ドーピングは異なる。
【誤訳訂正８】
【訂正対象書類名】明細書
【訂正対象項目名】００２５
【訂正方法】変更
【訂正の内容】
【００２５】
この基板に、絶縁層（１３）が、例えばエピタキシによって堆積される。この層は、その基板と同一の半導体から構成され、ｐ−にドープ処理されて構成される。
【誤訳訂正９】
【訂正対象書類名】明細書
【訂正対象項目名】００２８
【訂正方法】変更
【訂正の内容】
【００２８】
本発明によるセンサの構造は、出払い領域で作動する大きなギャップを有する半導体を利用する。
【手続補正書】
【提出日】平成23年4月14日(2011.4.14)
【手続補正１】
【補正対象書類名】明細書
【補正対象項目名】特許請求の範囲
【補正方法】変更
【補正の内容】
【特許請求の範囲】
【請求項１】
吸入空気が周囲温度で少なくとも５０％ＲＨの湿度を有する、ガスタービン吸入システム内の空気を濾過するためのフィルタ構造であって、
前記フィルタ構造は、ガスタービン・システムの吸気口に少なくとも１つのフィルタエレメントを含み、前記フィルタエレメントが、管状構造と、清浄な空気のプレナムである開放フィルタ内部を画定する構造とを形成する媒体パックを有し、前記媒体パックが、ファインファイバの層で少なくとも部分的に覆われた基体を含む媒体複合体のひだ付き構造を含み、前記ファインファイバが、添加剤と組み合わせられた、付加ポリマー、または、環状ラクタムとＣ６〜１０ジアミンモノマーまたはＣ６〜１０二酸モノマーとから形成されたコポリマー以外の縮合ポリマー、を含んだポリマー組成物を含むことを特徴とするフィルタ構造。
【請求項２】
前記基体が、セルロース繊維、合成繊維、またはこれらの混合物を含むことを特徴とする請求項１に記載のフィルタ構造。
【請求項３】
前記添加剤が、分子量が約５００〜３０００でありかつアルキル部分を含まないで芳香族の特性を有するオリゴマーを含み、前記添加剤が、前記ポリマーに対して混和性であることを特徴とする請求項１に記載のフィルタ構造。
【請求項４】
前記縮合ポリマーがナイロン６を含むことを特徴とする請求項１に記載のフィルタ構造。
【請求項５】
吸入空気が周囲温度で少なくとも５０％ＲＨの湿度を有する、ガスタービン吸気システム内の空気を濾過するための方法であって、
（ａ）前記方法は、ガスタービン・システムの吸気口に近接してフィルタを設置する工程を含み、前記フィルタが少なくとも１つのフィルタエレメントを含み、前記フィルタエレメントが、管状構造と、清浄な空気のプレナムである開放フィルタ内部を画定する構造とを形成する媒体パックを有し、前記媒体パックが、ファインファイバの層で少なくとも部分的に覆われた基体を含む媒体複合体のひだ付き構造を含み、前記媒体複合体が請求項１に記載のフィルタ構造を含み、
（ｂ）前記方法は、吸入空気をガスタービン・システムの吸気口に向ける工程を含むことを特徴とする方法。
【請求項６】
前記縮合ポリマーがナイロン６を含むことを特徴とする請求項５に記載の方法。
【請求項７】
少なくとも１つのフィルタエレメントを有するガスタービン・システムの吸気口に空気を向ける前記工程が、複数のフィルタエレメント対を有するガスタービン・システムの吸気口に空気を向ける工程を含み、
前記フィルタエレメント対のそれぞれが、前記媒体パックを備えた第１の管状フィルタエレメントを含み、前記第１の管状フィルタエレメントが前記媒体パックを備えた第２の管状フィルタエレメントの一端に対してシールされており、
前記第１および第２の管状フィルタエレメントのそれぞれが、清浄な空気のプレナムを画定することを特徴とする請求項５に記載の方法。
【請求項８】
複数のフィルタエレメント対を有するガスタービン・システムの吸気口に空気を向ける前記工程が、前記第１の管状フィルタエレメントおよび前記第２の管状フィルタエレメントに空気を向ける工程を含み、
前記第１の管状フィルタエレメントが円筒形であり、前記第２の管状フィルタエレメントが円錐形であることを特徴とする請求項５に記載の方法。
【請求項９】
前記媒体パックのそれぞれに収集された微粒子を少なくとも部分的に除去するために、各フィルタエレメント対の清浄な空気のプレナムのそれぞれに空気のパルスを向ける工程をさらに含むことを特徴とする請求項５に記載の方法。
【請求項１０】
吸入空気が周囲温度で少なくとも５０％ＲＨの湿度を有する、ガスタービン吸気システム内の空気を濾過するための方法であって、
（ａ）前記方法は、少なくとも１つのフィルタエレメントを有するガスタービン・システムの吸気口に吸入空気を向ける工程を含み、前記フィルタエレメントが、管状構造と、清浄な空気のプレナムである開放フィルタ内部を画定する構造を形成する媒体パックを有し、前記媒体パックが、請求項１に記載のフィルタ構造を含み、
（ｂ）前記方法は、空気を清浄にするために、前記空気を前記フィルタエレメントの前記媒体パックを通過して前記開放フィルタ内部に向ける工程を含むことを特徴とする方法。
【請求項１１】
前記縮合ポリマーが、ナイロン６を含むことを特徴とする請求項１０に記載の方法。
【請求項１２】
少なくとも１つのフィルタエレメントを有するガスタービン・システムの吸気口に空気を向ける前記工程が、複数のフィルタエレメント対を有するガスタービン・システムの吸気口に空気を向ける工程を含み、
前記フィルタエレメント対のそれぞれが、前記媒体パックを備えた第１の管状フィルタエレメントを含み、前記第１の管状フィルタエレメントが前記媒体パックを備えた第２の管状フィルタエレメントの一端に対してシールされており、前記第１および第２の管状フィルタエレメントのそれぞれが、清浄な空気のプレナムを画定することを特徴とする請求項１０に記載の方法。
【請求項１３】
複数のフィルタエレメント対を有するガスタービン・システムの吸気口に空気を向ける前記工程が、前記第１の管状フィルタエレメントおよび第２の管状フィルタエレメントに空気を向ける工程を含み、
前記第１の管状フィルタエレメントが円筒形であり、前記第２の管状フィルタエレメントが円錐形であることを特徴とする請求項１０に記載の方法。
【請求項１４】
前記媒体パックのそれぞれに収集された微粒子を少なくとも部分的に除去するため、各フィルタエレメント対の、清浄な空気のプレナムそれぞれに、空気のパルスを向ける工程をさらに含むことを特徴とする請求項１０に記載の方法。
【手続補正書】
【提出日】平成23年3月16日(2011.3.16)
【手続補正１】
【補正対象書類名】明細書
【補正対象項目名】特許請求の範囲
【補正方法】変更
【補正の内容】
【特許請求の範囲】
【請求項１】
媒体パックを有するフィルタエレメントであって、
（ｉ）前記媒体パックは媒体複合体の構造体を有し、前記構造体は、第１端部から第２端部まで延びている長さを有する複数のひだを有するシート状基体を含み、
（ｉｉ）前記構造体は、管状形状を有し、前記第１端部と対向する前記第２端部を有する開放内部を画定し、
（ｉｉｉ）前記シート状基体は、少なくとも部分的に層で覆われ、前記層が、約０．０１〜０．５ミクロン直径のファイバを含むポリマー・ファインファイバを含むことを特徴とするフィルタエレメント。
【請求項２】
１４０°Ｆの空気および相対湿度１００％の試験条件に１６時間の試験時間の間だけ試験暴露された後に、前記ファイバの３０％以上がろ過目的のために変化していないで保持されていることを特徴とする請求項１に記載のフィルタエレメント。
【請求項３】
前記管状形状は、第１エンド・キャップおよび第２エンド・キャップを有し、
（ｉ）前記媒体パックが、前記媒体パックの前記第１端部で前記第１エンド・キャップに固定され、
（ｉｉ）前記媒体パックが、前記媒体パックの前記第２端部で前記第２エンド・キャップに固定され、
（ｉｉｉ）前記第１エンド・キャップおよび第２エンド・キャプの少なくとも一方が、半径方向に向いたシール部分を含み、前記半径方向に向いたシール部分が、前記媒体パックに向かう方向に圧縮可能なポリウレタン材料を含む、
ことを特徴とする請求項１に記載のフィルタエレメント。
【請求項４】  
前記ポリマー・ファインファイバが縮合ポリマーを含むことを特徴とする請求項１に記載のフィルタエレメント。
【請求項５】
前記ポリマー・ファインファイバが付加ポリマーを含むことを特徴とする請求項１に記載のフィルタエレメント。
【請求項６】
前記ポリマー・ファインファイバが、ポリオレフィン、ポリアセタール、アクリル樹脂、ポリスチレン、ポリハロゲン化ビニルポリマー、ポリ塩化ビニリデン、または、ポリビニルアルコールポリマーを含む付加ポリマーを含むことを特徴とする請求項４に記載のフィルタエレメント。
【請求項７】  
前記ポリマー・ファインファイバが、ポリアミド、ポリウレタン、ポリエステルまたは、ポリスルホンを含むことを特徴とする請求項３に記載のフィルタエレメント。
【請求項８】  
前記ポリマー・ファインファイバが、ポリマーのブレンドを含むことを特徴とする請求項１に記載のフィルタエレメント。
【請求項９】  
前記ポリアミドのポリマーが第２ナイロン・ポリマーに結合し、前記第２ナイロン・ポリマーは、分子量またはモノマー組成が異なっていることを特徴とする請求項７に記載のフィルタエレメント。
【請求項１０】
前記ポリマー・ファインファイバが、約１〜４０重量％の架橋剤で架橋されていることを特徴とする請求項１に記載のフィルタエレメント。
【請求項１１】
約２〜２５重量％の樹脂系添加剤を含むことを特徴とする請求項１に記載のフィルタエレメント。
【請求項１２】
前記樹脂系添加剤が、分子量が約５００〜３０００で芳香族の特性を有するオリゴマーを含み、前記樹脂系添加剤が、前記ポリマー・ファインファイバ中で混和性であることを特徴とする請求項１１に記載のフィルタエレメント。
【請求項１３】
エンジン吸入空気流量が少なくとも３ｃｆｍのレートであるエンジンを含み、前記エンジン吸入空気を濾過するよう構成され配置されたエアクリーナを有するシステムであって、
前記エアクリーナが、ハウジングと、その内部に動作可能に配置された第１フィルタエレメントとを含み、
前記第１フィルタエレメントが、請求項１に記載のフィルタエレメントを含むことを特徴とするシステム。
【請求項１４】
（ａ）前記システムは、エンジン吸入空気流量が少なくとも１００ｃｆｍのレートであるエンジンを含み、
（ｂ）前記第１フィルタエレメントは、空気流量６００ｃｆｍまでのレートで評価された場合に、３インチ以下のＨ２Ｏの初期制約を提供する大きさに構成されていることを特徴とする請求項１３に記載のシステム。
【請求項１５】
（ａ）前記ひだを有する構造体は、管状形状で開放内部を画定し、
（ｂ）前記エアクリーナのハウジングが空気流チューブを含み、前記第１フィルタエレメントが前記空気流チューブに動作可能に取り付けられ、
（ｃ）前記第１フィルタエレメントは、
（ｉ）第１の開放エンド・キャップおよび第２の対向するエンド・キャップであって、
（Ａ）前記媒体パックが、前記媒体パックの前記第１端部で前記第１のエンド・キャップに結合され、
（Ｂ）前記媒体パックが、前記媒体パックの前記第２端部で前記第２のエンド・キャップに結合された第１および第２のエンド・キャップと、
（ｉｉ）前記第１のエンド・キャップと前記第２のエンド・キャップとの間に延在する内部支持ライナと、
（ｉｉｉ）前記第１のエンド・キャップが半径方向に向いたシール部分であって、
（Ａ）前記半径方向に向いたシール部分が前記開放内部へと内側に向かい、
（Ｂ）前記半径方向に向いたシール部分が、前記内部支持ライナと前記空気流チューブとの間で接するように圧縮されてそれによって前記第１フィルタエレメントと前記エアクリーナ・ハウジングとの間に第１の半径方向シールを形成するポリウレタン・フォーム材料を含む、シール部分と、
をさらに含むことを特徴とする請求項１３に記載のシステム。
【請求項１６】
流体圧縮器を含み、圧縮器吸入空気を濾過するよう構成され配置されたエアクリーナを有するシステムであって、
前記エアクリーナが、ハウジングと、その内部に動作可能に配置されている第１フィルタエレメントとを含み、前記第１フィルタエレメントが、請求項１に記載のフィルタエレメントを有することを特徴とするシステム。
【請求項１７】
（ａ）前記システムは、エンジン吸入空気流量が少なくとも５００ｃｆｍのレートであるエンジンを含み、
（ｂ）前記第１フィルタエレメントは、空気流量６００ｃｆｍまでのレートで評価された場合に、３インチ以下のＨ２Ｏの初期制約を提供する大きさに構成されていることを特徴とする請求項１６に記載のシステム。
【誤訳訂正書】
【提出日】平成23年5月19日(2011.5.19)
【誤訳訂正１】
【訂正対象書類名】明細書
【訂正対象項目名】請求項１０６
【訂正方法】変更
【訂正の内容】
【請求項１０６】
【請求項１０６】  Ｍが−Ｘ４−Ｒ５５であり、Ｒ５５が、
【化５３】
2004508297.tif 000001
[式中、
Ｇ２はＣ、ＯおよびＳから選択され；
Ｇ３およびＧ４は独立して、Ｃ、Ｎ、ＯおよびＳから選択され；
ここで、ａ)Ｇ２、Ｇ３およびＧ４の多くて１つがＯまたはＳであってよく；ｂ)Ｇ２がＯまたはＳである場合、Ｇ３およびＧ４の多くて１つがＮであり；ｃ)Ｇ２、Ｇ３およびＧ４の少なくとも１つがＣであり；ならびにｄ)Ｇ２、Ｇ３およびＧ４はすべてがＣであるわけではなく；
Ｇ５、Ｇ６およびＧ７は、ＣおよびＮからから独立して選択され、ここで、Ｇ５、Ｇ６およびＧ７のうち多くとも２つがＮであってよく；
Ｊ３、Ｊ４、Ｊ５、Ｊ６およびＪ７は−Ｈ、−ＮＲ４２、−ＣＯＮＲ４２、−ＣＯ２Ｒ３、ハロ、−Ｓ(Ｏ)２ＮＲ４２、−Ｓ(Ｏ)Ｒ３、−ＳＯ２Ｒ３、アルキル、アルケニル、アルキニル、アルキレンアリール、過ハロアルキル、ハロアルキル、アリール、ヘテロアリール、アルキレン−ＯＨ、−Ｃ(Ｏ)Ｒ１１、−ＯＲ１１、−アルキレン−ＮＲ４２、−アルキレン−ＣＮ、−ＣＮ、−Ｃ(Ｓ)ＮＲ４２、−ＯＲ２、−ＳＲ２、−Ｎ３、−ＮＯ２、−ＮＨＣ(Ｓ)ＮＲ４２および−ＮＲ２１ＣＯＲ２から独立して選択され；
Ｘ４は下記から選択され：
ｉ)芳香族環の炭素およびリン原子を連結する最少の原子数によって判定すると２〜４原子を有する連結基であり、−フラニル−、−チエニル−、−ピリジル−、−オキサゾリル−、−イミダゾリル−、−フェニル−、−ピリミジニル−、−ピラジニル−および−アルキニル−(これらはすべて場合によって置換される)から選択され；ならびに、
ｉｉ)芳香族環の炭素およびリン原子を連結する最少の原子数によって判定すると３〜４原子を有する連結基であり、−アルキレンカルボニルアミノ−、−アルキレンアミノカルボニル−、−アルキレンオキシカルボニル−、−アルキレンオキシ−および−アルキレンオキシアルキレン−(これらはすべて場合によって置換される)から選択され；
Ｒ１１は、アルキル、アリール、−ＮＲ２２および−ＯＲ２から選択され；
Ｒ２０は−Ｈ、低級Ｒ３および−Ｃ(Ｏ)−(低級Ｒ３)から選択され；
Ｒ２１は−Ｈおよび低級Ｒ３から選択され；
ただし：
１)Ｇ５、Ｇ６またはＧ７がＮである場合、各Ｊ４、Ｊ５またはＪ６は存在せず；
２)Ｘ４が置換フラニルである場合、Ｊ３、Ｊ４、Ｊ５およびＪ６の少なくとも１つは−Ｈまたは不存在ではなく；
３)Ｘ４が置換フラニルでない場合、式(ＶＩＩ−５)のＪ３、Ｊ４、Ｊ５およびＪ６または式(ＶＩＩ−６)のＪ３、Ｊ４、Ｊ５、Ｊ６、Ｊ７の少なくとも２つは−Ｈまたは不存在ではなく；
４)Ｇ２、Ｇ３またはＧ４がＯまたはＳである場合、各Ｊ３、Ｊ４またはＪ５は存在せず；
５)Ｇ３またはＧ４がＮである場合、各Ｊ４またはＪ５はハロゲンまたは、ヘテロ原子を介してＧ３またはＧ４と直接結合した基ではなく；
６)両方のＹ基が−ＮＲ６−であり、かつＲ１およびＲ１が連結されて環式ホスホルアミデートを形成していない場合、少なくとも１つのＲ１は−(ＣＲ１２Ｒ１３)ｎ−Ｃ(Ｏ)−Ｒ１４であり；
７)Ｘ４が−アルキレンカルボニルアミノ−または−アルキレンアミノカルボニル−である場合、Ｇ５、Ｇ６およびＧ７はすべてがＣであるわけではなく；
８)Ｘ４が−アルキレンオキシアルキレン−であり、ならびにＧ５、Ｇ６およびＧ７がすべてＣである場合、Ｊ４およびＪ６はいずれもアシル化アミンで置換されていることはなく；
９)Ｒ５５が置換フェニルである場合、Ｊ４、Ｊ５およびＪ６はプリニル、プリニルアルキレン、デアザ−プリニルまたはデアザプリニルアルキレンではなく；
１０)Ｒ１は、他方のＹＲ１が−ＮＲ６−Ｃ(Ｒ１２Ｒ１３)ｎ−Ｃ(Ｏ)−Ｒ１４である場合にのみ、低級アルキルから選択され得る；
１１)Ｒ５５が置換フェニルであり、ならびにＸ４が１，２−エチニルである場合、Ｊ４またはＪ６はヘテロ環式基ではなく；
１２)Ｘ４が１,２−エチニルである場合、Ｇ５またはＧ７はＮではあり得ない］
から選択される化合物である請求項１１記載の医薬組成物。
【誤訳訂正２】
【訂正対象書類名】明細書
【訂正対象項目名】０５１４
【訂正方法】変更
【訂正の内容】
【０５１４】
実施例ＢＢ：ｄｂ／ｄｂマウスにおけるインスリンおよびＦＢＰアーゼインヒビター(化合物Ｊ)の慢性併用処置の有益な効果
雄性Ｃ５７ＢＬ／ＫｓＪ ｄｂ／ｄｂマウスをClea Japan, Inc. (東京, 日本)から５週齢で購入した。マウスは、標準的飼育条件下(２４〜２６℃、１２時間／１２時間の明暗サイクル)に維持し、標準的固形飼料および水を自由に与えた。１９週齢において、動物を２つのグループに分けた(ｎ＝６匹／グループ)。血漿グルコースレベルを標的値である３００ｍｇ／ｄｌに調節するために、両方のグループにヒト組換えインスリン(Penfill N300, Novo Nordisk, デンマーク)を毎日皮下注射した。１つのグループには、化合物Ｊを０.２％含有する食物混合物として化合物Ｊを与える。Glucoloader-F自動グルコースアナライザー(A&T Co.,Ltd., 東京, 日本)を用いて尾静脈サンプルの血中グルコースレベルを測定する。値は、平均±平均の標準誤差で表わす。
【誤訳訂正書】
【提出日】平成23年6月14日(2011.6.14)
【誤訳訂正１】
【訂正対象書類名】明細書
【訂正対象項目名】特許請求の範囲
【訂正方法】変更
【訂正の内容】
【特許請求の範囲】
【請求項１】
内視鏡装置であって、
前部と後部を含むプローブと、
可撓性の外側スリーブと外側スリーブの中の可撓性の内側スリーブを含む可撓性の二重スリーブ管とを有し、両スリーブは、前記前部と前記後部との間に接続されることにより両スリーブの間に封体を形成し、前記封体は内腔中で前記前部を推進させるため長手方向に膨張し、前記後部は内腔の外部、肛門に近い位置で静止している内視鏡装置。
【請求項２】
内腔中の画像を得るために前部に挿入されている画像化装置を有する請求項１記載の装置。
【請求項３】
操作者が前記後部を全体的には静止状態で把持することができるよう、前記後部と取り外し自在に係合するハンドルを有する請求項１記載の装置。
【請求項４】
前記内側スリーブが、前記前部と前記後部の間に内視鏡を移動させる通路を有する請求項１記載の装置。
【請求項５】
前記前部に固定され前記内側スリーブ中に配置される少なくとも１本の管を有する請求項１記載の装置。
【請求項６】
前記少なくとも１本の管は、前記内側スリーブ部分に対して相対的に実質的に静止している請求項５記載の装置。
【請求項７】
前記外側スリーブの一部分は前記内腔壁に対して相対的に実質的に静止している請求項１記載の装置。
【請求項８】
前記前部は前部室を有し、前記二重スリーブ管が前部部分を有し、この前部部分は前記前部室の中でコンパクトな状態に保持されており、前記前部が内腔中を前進すると前記前部の根元から送り出される請求項１記載の装置。
【請求項９】
前記前部は、ヘッド部、及び前記ヘッド部に前記前部室を結合する可撓性スリーブを有し、前記スリーブは前記ヘッド部分の方向付けをすることができる請求項８記載の装置。
【請求項１０】
前記二重スリーブ管が後部部分を有し、これは、前記後部とコンパクトな状態で結合しており、前記前部が内腔内を前進するにつれ後部の先端から送りだされる請求項１記載の装置。
【請求項１１】
前記封体が気密性の封体であり、流体により膨張して前記内腔内に前部を前進させる請求項１記載の装置。
【請求項１２】
前記流体が、不活性ガスである請求項１１記載の装置。
【請求項１３】
前記流体が不活性液体である請求項１１記載の装置。
【誤訳訂正２】
【訂正対象書類名】明細書
【訂正対象項目名】００２４
【訂正方法】変更
【訂正の内容】
【００２４】
前部１２を内腔４９中に推進させるためには、封体３７が、通気孔４２を通じて二酸化炭素などの不活性ガスにより膨張するようにする。あるいは封体３７は無菌水などの不活性液体で膨張するようにしてもよい。封体３７の膨張により、内側及び外側スリーブ双方のコンパクトな部分が展開され、それぞれ突部３３を超えまたスロット３０から送られる。かくして管３１ はその長さを増大し、後部１４が内腔４９の外部、典型的には患者の肛門４８に近い位置で実質的に静止している場合には、前部１２は内腔中に進む。
【誤訳訂正３】
【訂正対象書類名】明細書
【訂正対象項目名】００２５
【訂正方法】変更
【訂正の内容】
【００２５】
封体３７が膨張すると、前部１２は内腔４９中を移動し、１本あるいは数本の管１３を内腔中で引っ張る。この膨張過程で、室２８から送りだされる外側スリーブ２６によリ形成されるスリーブ２６の一部４４が放射方向に膨らみ、内腔４９の壁と接触するかもしれない。しかし、スリーブ２６が後部１４に固定されているのであるから、部分４４は長手方向に実質的に固定されたままである。かくして内腔の壁に対してこすったり損傷を与えることは最小限にとどめられる。
【誤訳訂正書】
【提出日】平成23年5月9日(2011.5.9)
【誤訳訂正１】
【訂正対象書類名】明細書
【訂正対象項目名】００６０
【訂正方法】変更
【訂正の内容】
【００６０】
例えば、拡張部材３と４の角度の開き（ｏｆｆｓｅｔ）が所定値（例えば、１８０〜３６０°）を超えると、完全閉塞となる。
【誤訳訂正書】
【提出日】平成23年10月12日(2011.10.12)
【誤訳訂正１】
【訂正対象書類名】明細書
【訂正対象項目名】特許請求の範囲
【訂正方法】変更
【訂正の内容】
【特許請求の範囲】
【請求項１】  ＣＤ１１ｂ発現細胞をターゲティングするタンパク様ベクターであって、Bordetella種アデニルシクラーゼ（CyaA）と、多糖、オリゴ糖、核酸、脂質、化学物質、抗原及びエピトープからなる群より選択された分子とを含み、前記分子が、前記Bordetella種アデニルシクラーゼに化学的にカップリングしているタンパク様ベクター。
【請求項２】  Bordetella種アデニルシクラーゼと、該Bordetella種アデニルシクラーゼに化学的にカップリングした抗原又はエピトープとを含む、請求項１記載のタンパク様ベクター。
【請求項３】  前記抗原又はエピトープが、ＣＤ８＋細胞毒性Ｔ細胞応答をプライミングするエピトープである、請求項１又は２記載のタンパク様ベクター。
【請求項４】  前記抗原又はエピトープが、ＣＤ４＋細胞応答をプライミングするエピトープである、請求項１又は２記載のタンパク様ベクター。
【請求項５】  前記抗原が、細胞内細菌細胞抗原、腫瘍細胞抗原、ウイルス抗原、真菌抗原及び寄生虫細胞抗原からなる群より選択される、請求項１又は２記載のタンパク様ベクター。
【請求項６】  前記抗原が、ポリオウイルス抗原、ＨＩＶウイルス抗原、インフルエンザウイルス抗原、脈絡髄膜炎ウイルスエピトープ及び腫瘍抗原からなる群より選択される、請求項５記載のタンパク様ベクター。
【請求項７】  Bordetella種アデニルシクラーゼと、該Bordetella種アデニルシクラーゼに化学的にカップリングした核酸とを含む、請求項１記載のタンパク様ベクター。
【請求項８】  Bordetella種アデニルシクラーゼと、該Bordetella種アデニルシクラーゼに化学的にカップリングした薬物とを含む、請求項１記載のタンパク様ベクター。
【請求項９】  前記薬物が、抗炎症薬である、請求項８記載のタンパク様ベクター。
【請求項１０】  前記Bordetella種アデニルシクラーゼが、組換え型アデニルシクラーゼである、請求項１〜９のいずれか１項に記載のタンパク様ベクター。
【請求項１１】  前記組換え型アデニルシクラーゼが、ＣＤ１１ｂ発現細胞に結合するために必要なドメインがなお機能的であることを条件として、点突然変異、欠失又は挿入によって遺伝学的にさらに修飾されている、請求項１０記載のタンパク様ベクター。
【請求項１２】  前記遺伝学的に修飾されたアデニルシクラーゼが、非毒性又は解毒された形態である、請求項１１記載のタンパク様ベクター。
【請求項１３】  前記遺伝学的に修飾されたアデニルシクラーゼが、天然のBordetella種アデニルシクラーゼ毒素の１フラグメントであり、前記フラグメントがＣＤ１１ｂレセプタに結合する能力をもつ、請求項１１記載のタンパク様ベクター。
【請求項１４】  前記分子が、前記アデニルシクラーゼの触媒ドメイン内に遺伝学的に挿入されたシステイン残基にカップリングしている、請求項１〜６及び１０〜１３のいずれか１項に記載のタンパク様ベクター。
【請求項１５】  前記遺伝学的に挿入されたシステイン残基が、前記触媒ドメイン内の許容部位に挿入されている、請求項１４記載のタンパク様ベクター。
【請求項１６】  前記抗原又はエピトープが、ジスルフィド結合によってカップリングしている、請求項１４又は１５記載のタンパク様ベクター。
【請求項１７】  前記アデニルシクラーゼが、Bordetella pertussis由来のものである、請求項１〜１６のいずれか１項に記載のタンパク様ベクター。
【請求項１８】  ヒト又は動物に投与される医薬組成物の製造のための、請求項１〜１７のいずれか１項に記載のタンパク様ベクターの使用。
【請求項１９】  請求項１〜１７のいずれか１項に記載のタンパク様ベクターを含む、免疫応答を促進するための医薬組成物。
【請求項２０】  前記免疫応答が、免疫細胞応答である、請求項１９記載の医薬組成物。
【請求項２１】  前記免疫細胞応答が、ＣＴＬ免疫応答である、請求項２０記載の医薬組成物。
【請求項２２】  ワクチン又は免疫療法組成物の調製のための、請求項１〜１７のいずれか１項に記載のタンパク様ベクターを含む医薬組成物の使用。
【請求項２３】  請求項１〜１７のいずれか１項に記載のタンパク様ベクターを含む、ガン、ウイルス感染、寄生虫感染又は細菌感染の治療のための免疫療法組成物。
【請求項２４】  ＣＤ１１ｂ発現細胞に対し特異的に分子をターゲティングするための、請求項１〜１７のいずれか１項に記載のタンパク様ベクター。
【請求項２５】  前記分子が、少なくともＣＤ１１ｂ発現細胞表面にターゲティングされる、請求項２４記載のタンパク様ベクター。
【請求項２６】  前記分子が、ＣＤ１１ｂ発現細胞の細胞質ゾル内に送達される、請求項２４記載のタンパク様ベクター。
【請求項２７】  前記分子が、ＣＤ１１ｂ発現細胞のエンドサイトーシス経路に送達される、請求項２４記載のタンパク様ベクター。
【請求項２８】  前記分子が、エピトープ又は抗原である、請求項２４〜２７のいずれか１項に記載のタンパク様ベクター。
【請求項２９】  前記分子が、核酸である、請求項２４〜２７のいずれか１項に記載のタンパク様ベクター。
【請求項３０】  前記分子が、薬物である、請求項２４〜２７のいずれか１項に記載のタンパク様ベクター。
【請求項３１】  前記薬物が、抗炎症薬である、請求項３０記載のタンパク様ベクター。
【請求項３２】  前記ＣＤ１１ｂ発現細胞が、好中球、マクロファージ、ＮＫ細胞又は樹状細胞である、請求項２４〜３１のいずれか１項に記載のタンパク様ベクター。
【請求項３３】  前記樹状細胞が、骨髄性樹状細胞である、請求項３２記載のタンパク様ベクター。
【請求項３４】  請求項１〜１７のいずれか１項に記載のタンパク様ベクターが結合している、ＣＤ１１ｂ発現細胞。
【誤訳訂正２】
【訂正対象書類名】明細書
【訂正対象項目名】００３４
【訂正方法】変更
【訂正の内容】
【００３４】
ｃ）Ｃ末端ドメインは、ＣＤ１１ｂ発現細胞の膜に結合し、エンドサイトーシス経路によって内在化され得る。
【誤訳訂正３】
【訂正対象書類名】明細書
【訂正対象項目名】００３９
【訂正方法】変更
【訂正の内容】
【００３９】
Bordetellaアデニルシクラーゼ毒素とＣＤ１１ｂ／ＣＤ１８αmβ2レセプタの間の特異的相互作用に起因して、問題の分子は、少なくともＣＤ１１ｂ発現細胞の表面に特異的にターゲティングされる。本発明の特定の１実施形態においては、Bordetellaアデニルシクラーゼ毒素は、ＣＤ１１ｂ発現細胞の細胞質ゾル内、ＣＤ１１ｂ発現細胞の表面、又はＣＤ１１ｂ発現細胞のエンドサイトーシス経路内へのいずれかに問題の分子を送達するためのタンパク様ベクターの製造において使用される。
【誤訳訂正４】
【訂正対象書類名】明細書
【訂正対象項目名】００８０
【訂正方法】変更
【訂正の内容】
【００８０】
もう１つの実施形態においては、遺伝学的に修飾された毒素は、ＣＤ１１ｂ発現細胞の表面内で又はエンドサイトーシス経路内に、特異的に問題の分子を送達することができる。
【手続補正書】
【提出日】平成23年3月1日(2011.3.1)
【手続補正１】
【補正対象書類名】明細書
【補正対象項目名】特許請求の範囲
【補正方法】変更
【補正の内容】
【特許請求の範囲】
【請求項１】
ファインファイバ層であって、
前記ファインファイバ層は、付加ポリマーを含むファインファイバを含み、
前記ファインファイバ層は、前記ファイバのランダム分布を含み、
前記ファインファイバは、０．００１〜２ミクロンの直径を有することを特徴とするファインファイバ層。
【請求項２】
ファインファイバ層であって、
前記ファインファイバ層は、縮合ポリマーを含むファインファイバを含み、
前記ファインファイバ層は、前記ファイバのランダム分布を含み、
前記ファインファイバは、０．００１〜２ミクロンの直径を有することを特徴とするファインファイバ層。
【請求項３】
フィルタ媒体であって、
請求項１又は請求項２に記載のファインファイバ層と、
約８〜２００ｇ／ｍ２の坪量を有する基板と、
を含み、
前記ファインファイバは、約０．０１〜０．５ミクロンのファイバ直径を有し、
前記基板は、濾過用媒体を含むことを特徴とするフィルタ媒体。
【請求項４】
前記フィルタ媒体は、約１４０°Ｆの温度と約１００％の相対湿度を有する空気流に曝されたとき、前記ファインファイバの約５０％を超える量が１６時間よりも長い時間にわたって残存することを特徴とする請求項３に記載のフィルタ媒体。
【請求項５】
前記基板は、セルロース、ガラス、ポリマー、金属、およびその組合せから選択されたファイバを含む不織布を含むことを特徴とする請求項３に記載のフィルタ媒体。
【請求項６】
前記不織布の基板は、セルロースファイバを含むことを特徴とする請求項５に記載のフィルタ媒体。
【請求項７】
前記不織布の基板は、合成ポリマーファイバを含むことを特徴とする請求項５に記載のフィルタ媒体。
【請求項８】
前記ファイバは、約２〜２５重量％の添加剤をさらに含み、
前記添加剤は、分子量が約５００〜約３０００で芳香族特性を有する樹脂状物質を含み、
前記添加剤は、前記付加ポリマーと混和性であることを特徴とする請求項１又は請求項２に記載のファインファイバ層。
【請求項９】
前記ファイバは、前記ファイバの約１〜４０重量％の架橋剤をさらに含むことを特徴とする請求項１又は請求項２に記載のファインファイバ層。
【請求項１０】
前記付加ポリマーは、ナイロン６を含むことを特徴とする請求項１に記載のファインファイバ層。
【請求項１１】
前記縮合ポリマーは、ポリウレタンポリマーを含むことを特徴とする請求項２に記載のファインファイバ層。
【請求項１２】
前記付加ポリマーは、ポリ塩化ビニルポリマーを含むことを特徴とする請求項１に記載のファインファイバ層。
【請求項１３】
前記付加ポリマーは、ポリビニルアルコールポリマーを含むことを特徴とする請求項１に記載のファインファイバ層。
【請求項１４】
ポリビニルアルコールポリマーと架橋剤との反応生成物を含むことを特徴とする請求項１３に記載のファインファイバ層。
【請求項１５】
媒体複合体を含むフィルタエレメントであって、
前記媒体複合体は、複数のひだを有する基板を含み、
前記ひだは、第１端部から第２端部まで延びている長さを有し、
前記基板は、濾過性能と、約２〜９００ｍ／分の透過性と、０．４ｍｍ以上の厚さとを有するフィルタ媒体を含み、
前記媒体複合体は、円筒形カートリッジまたは平らなパネルを含み、
前記基板は、ファインファイバの層で少なくとも部分的に被覆されており、
前記ファインファイバ層は、請求項３に記載の組成物を含み、
前記ファインファイバ層は、０．００５〜０．２ｍｇ／ｃｍ２の坪量と、０．０１〜３ミクロンの厚さとを有し、
前記フィルタエレメントは、２０ｆｐｍ（６．１ｍ／分）で測定される、０．７８μｍの単分散ポリスチレン球状粒子を用いるＡＳＴＭ−１２１５−８９規格によって測定される場合に、約２〜約９００ｍ／分の透過性と２０％以上の濾過性能とを有することを特徴とするフィルタエレメント。
【請求項１６】
工業用バッグハウスのためのフィルタバックであって、
前記フィルタバックは、
約０．２ｍｍ以上の厚さを有するポリエステル製フィルタバックの基板層と、
前記フィルタバッグの基板層の上流側表面上にファインファイバの層と、
を有し、
前記ファインファイバは、約０．０１〜５ミクロンのファイバ直径と、０．００５〜０．２ｍｇ／ｃｍ２の坪量とを有し、
前記ファインファイバの層は、前記ファインファイバの直径の約１〜約１００倍の厚さを有し、
前記ポリエステル製フィルタバックの基板層は、２０ｆｐｍ（６．１ｍ／分）で測定される、０．７８μｍの単分散ポリスチレン球状粒子を用いるＡＳＴＭ−１２１５−８９規格によって測定される場合に、少なくとも約２ｍ／分の透過性と、少なくとも２０％の濾過性能とを有することを特徴とするフィルタバック。
【請求項１７】
ファインファイバ材料を作製する方法であって、
前記ファインファイバ材料は、約０．１〜２ミクロンの直径を有するファイバを含み、
前記ファイバは、ポリマーと触媒とから形成される直線状ファイバを含み、
前記作製する方法は、
低級アルコール、水またはそれらの混合物と、約３〜３０重量％のポリマー組成物とを含む溶液を形成する工程と、
前記ポリマー組成物を閾値電位より大きい電位を有する電場に曝す工程と、
前記溶液を、乾燥によりファインファイバとなる加速された溶液ストランドを形成するようにさせる工程と、
基板上の前記ファインファイバを収集する工程と、
前記ファインファイバを熱処理に曝す工程と、
を有し、
前記熱処理が、前記ポリマー組成物の溶融温度未満の温度まで前記ファインファイバの温度を上昇させる工程を含むことを特徴とするファインファイバ材料を作製する方法。